(57)【要約】【課題】コンパクトで家庭用として最適な血圧計を提供する。【解決手段】カフ帯５の自動巻き取り機構を有する血圧計１Ａにおいて、生体挿入用ブロック２の内面に保持されたカフ帯５の両端部５ａ，５ｂが自動巻き取り機構６に連結されて、カフ帯５の両端部５ａ，５ｂを同時に巻き取ることにより、カフ帯５の巻き取り時間の短縮と巻き取り径を減らすことができる。【選択図】  図１
2004254882.tif 000002
【特許請求の範囲】
【請求項１】
カフ帯の自動巻き取り機構を有する血圧計において、
生体挿入用ブロックの内面に保持されたカフ帯の両端部が自動巻き取り機構に連結されていることを特徴とする血圧計。
【請求項２】
上記カフ帯の両端部は、上記巻き取り機構の巻き取り円筒部に連結されている請求項１記載の血圧計。
【請求項３】
上記生体挿入用ブロック内に、生体置き台が設けられている請求項１記載の血圧計。
【請求項４】
上記生体挿入用ブロックにロック部が設けられるとともに、上記巻き取り機構に、巻き取り初期位置と巻き取り上限位置とで上記ロック部でロックされる被ロック部が設けられている請求項１記載の血圧計。
【請求項５】
上記血圧計は、血圧計本体と生体挿入用ブロックとに分割されて、血圧計本体に対して、生体挿入用ブロックが回動可能に支持されている請求項１記載の血圧計。
【請求項６】
上記血圧計は、血圧計本体と生体挿入用ブロックとに分割されて、血圧計本体に対して、生体挿入用ブロックが着脱可能に支持されている請求項１記載の血圧計。
【請求項７】
上記カフ帯の巻き取り量から生体周長を検知する手段が設けられている請求項１記載の血圧計。
【請求項８】
巻き取り時に、上記カフ帯の締め付けを解除可能な緊急解除部材が設けられている請求項１記載の血圧計。
【請求項９】
上記血圧計から表示手段および／または操作手段が分離されて、この表示手段および／または操作手段は、有線または無線で血圧計と接続されている請求項１記載の血圧計。
【請求項１０】
上記カフ帯に、カフ帯を緩め方向に引っ張るバネ部材が設けられている請求項１記載の血圧計。
【請求項１１】
上記カフ帯の巻き取り機構がモータであるとき、カフ帯が生体を締め付ける時のモータの電流変化量、またはこの電流変化量とカフ帯の内圧の変化量を検出して、締め付け量を制御する請求項１記載の血圧計。
【請求項１２】
上記カフ帯の内面に、距離感知センサが設けられている請求項１記載の血圧計。
【請求項１３】
血圧計のカフ帯において、生体置き台が設けられ、この生体置き台にカフ帯の下半分が固定されるとともに、カフ帯の上半分はフリーな状態で、生体置き台に置かれた生体に巻き付けて生体置き台に係止可能であることを特徴とする血圧計。
【請求項１４】
血圧計のカフ帯において、カフ帯は生体挿入用ブロックの内面に保持されて、この生体挿入用ブロック内に生体置き台が設けられ、この生体置き台の作動でカフ帯が締め付け方向に縮径される構成であることを特徴とする血圧計。
【請求項１５】
血圧計カフ帯において、カフ帯は生体挿入用ブロックの内面に拡縮径可能な外郭剛体部を介して保持されて、この外郭剛体部の縮径作動でカフ帯が締め付け方向に縮径される構成であることを特徴とする血圧計。
【発明の詳細な説明】
【０００１】
【発明の属する技術分野】
本発明は、コンパクトで家庭用として最適な血圧計に関する。
【０００２】
【従来の技術】
従来、生体（腕・手首）における血圧値を、オシロメトリック法を用いて測定する際に、腕・手の細い人、太い人に対しても、精度を安定して測定するためには、カフ帯の空気袋の容積を一定にするために、カフ帯を被験者の測定部位に予め一定の強さで巻き付ける必要がある。
【０００３】
しかし、家庭用の安価な血圧計では、被験者自らが測定部位にカフ帯を巻き付ける必要のあるカフ帯分離型が大半である（例えば、特許文献１参照）。従って、被験者のカフ帯の巻き付け方によっては測定精度に影響が生じやすい。
【０００４】
【特許文献１】
特開平７−１２４１２７号公報
【０００５】
【発明が解決しようとする課題】
また、被験者の巻き付けのバラツキをなくすために、オシロメトリック方式の自動巻き取り機構搭載の自動血圧計もあるが、サイズ的にも構造的にも家庭で使用するには適切なものではない。
【０００６】
本発明は、上記問題を解消するためになされたもので、コンパクトで家庭用として最適な血圧計を提供することを課題とするものである。
【０００７】
【課題を解決するための手段】
上記課題を解決するために、本発明は、カフ帯の自動巻き取り機構を有する血圧計において、
生体挿入用ブロックの内面に保持されたカフ帯の両端部が自動巻き取り機構に連結されていることを特徴とする血圧計を提供するものである。
【０００８】
上記カフ帯の両端部は、巻き取り機構の巻き取り円筒部に連結されている構成とすることが好ましい。
【０００９】
上記生体挿入用ブロック内に、生体置き台が設けられている構成とすることが好ましい。
【００１０】
上記生体挿入用ブロックにロック部が設けられるとともに、上記巻き取り機構に、巻き取り初期位置と巻き取り上限位置とで上記ロック部でロックされる被ロック部が設けられている構成とすることが好ましい。
【００１１】
上記血圧計は、血圧計本体と生体挿入用ブロックとに分割されて、血圧計本体に対して、生体挿入用ブロックが回動可能に支持されている構成とすることが好ましい。
【００１２】
上記血圧計は、血圧計本体と生体挿入用ブロックとに分割されて、血圧計本体に対して、生体挿入用ブロックが着脱可能に支持されている構成とすることが好ましい。
【００１３】
上記カフ帯の巻き取り量から生体周長を検知する手段が設けられている構成とすることが好ましい。
【００１４】
巻き取り時に、上記カフ帯の締め付けを解除可能な緊急解除部材が設けられている構成とすることが好ましい。
【００１５】
上記血圧計から表示手段および／または操作手段が分離されて、この表示手段および／または操作手段は、有線または無線で血圧計と接続されている構成とすることが好ましい。
【００１６】
上記カフ帯に、カフ帯を緩め方向に引っ張るバネ部材が設けられている構成とすることが好ましい。
【００１７】
上記カフ帯の巻き取り機構がモータであるとき、カフ帯が生体を締め付ける時のモータの電流変化量、またはこの電流変化量とカフ帯の内圧の変化量を検出して、締め付け量を制御する構成とすることが好ましい。
【００１８】
上記カフ帯の内面に、距離感知センサが設けられている構成とすることが好ましい。
【００１９】
本発明の別態様として、血圧計のカフ帯において、生体置き台が設けられ、この生体置き台にカフ帯の下半分が固定されるとともに、カフ帯の上半分はフリーな状態で、生体置き台に置かれた生体に巻き付けて生体置き台に係止可能であることを特徴とする血圧計を提供するものである。
【００２０】
本発明の別態様として、血圧計のカフ帯において、カフ帯は生体挿入用ブロックの内面に保持されて、この生体挿入用ブロック内に生体置き台が設けられ、この生体置き台の作動でカフ帯が締め付け方向に縮径される構成であることを特徴とする血圧計を提供するものである。
【００２１】
本発明の別態様として、血圧計カフ帯において、カフ帯は生体挿入用ブロックの内面に拡縮径可能な外郭剛体部を介して保持されて、この外郭剛体部の縮径作動でカフ帯が締め付け方向に縮径される構成であることを特徴とする血圧計を提供するものである。
【００２２】
【発明の作用および効果】
本発明においては、カフ帯は、片端部ではなくて両端部が巻き取られるから、カフ帯の巻き取り時間が短縮できるとともに、巻き取り径を減らすことができるので、血圧計を家庭用としてコンパクトにすることが可能となる。なお、カフ帯の両端部は、同一方向に巻き取る場合に限られず、反対方向に巻き取る場合も含まれるものである。
【００２３】
請求項２であれば、カフ帯は、両端部が同時に同一方向に均等に巻き取られるから、カフ帯の巻き取り時間が半減できるとともに、巻き取り径を半減できるので、血圧計を家庭用として、よりコンパクトにすることが可能となる。
【００２４】
請求項３であれば、生体置き台で被験者の腕等をしっかりと固定することができるから、カフ帯の巻き取り時に被験者の腕等が引っ張られなくなるので、巻き取りがスムーズになるとともに、巻き戻しもスムーズになる。
【００２５】
請求項４であれば、巻き取り上限位置で被ロック部がロック部でロックされることにより、上限位置を認識することができるとともに、カフ帯が測定可能な周長の最小時で巻き取りを停止して、必要以上に巻き取り続けることを防ぐことができるとともに、巻き取り初期位置で被ロック部がロック部でロックされることにより、初期位置を認識することができる。また、ロック部と被ロック部とで機械的に停止させることができるので、位置センサ等を設ける必要がない。
【００２６】
請求項５であれば、生体挿入用ブロックを回動させることで、身長の異なる被験者が測定する際や高さの異なる椅子や机で測定する際に、常に安定姿勢で測定することができる。
【００２７】
請求項６であれば、生体挿入用ブロックを着脱可能にすることで、生体周長の異なる被験者が測定する際に、生体挿入用ブロックを交換することができ、カフ幅による判定精度の誤差を抑えることができる。
【００２８】
請求項７であれば、カフ帯の巻き取り量から被験者の生体周長を検知することにより、生体周長に応じた血圧測定アルゴリズム（テーブル等）により血圧判定することができるので、より高精度な血圧判定を行うことができる。
【００２９】
請求項８であれば、カフ帯の巻き取り時に、予期せぬ誤動作が発生したような緊急時に、被験者がカフ帯による腕等の締め付けを解除できるので、安全性が向上するようになる。
【００３０】
請求項９であれば、左右いずれの腕等で血圧測定した際にも、表示手段（操作手段）と逆側に配置することができるので、表示手段が見やすく、操作手段が操作しやすくなる。
【００３１】
請求項１０であれば、血圧測定終了時のカフ帯の巻き付け解除の際に、バネ部材でカフ帯が引っ張られて迅速に緩められるようになる。
【００３２】
請求項１１であれば、被測定者の腕等にカフ帯を最適な締め付け量で巻き付けることにより、より高精度かつ信頼性（再現性）の高い血圧測定を行うことができる。
【００３３】
請求項１２であれば、距離感知センサでカフ帯と被験者の腕等との間の距離を検知して、被測定者の腕等にカフ帯を最適な締め付け量で巻き付けることにより、より高精度かつ信頼性（再現性）の高い血圧測定を行うことができる。
【００３４】
請求項１３であれば、被験者は、生体置き台に腕等を置いて、上半分のカフ帯を片手で腕等にしっかり確実に巻き付けることができる。
【００３５】
請求項１４であれば、生体置き台の作動でカフ帯が締め付けられるので、巻き取り機構等が不要で、コンパクトになる。
【００３６】
請求項１５であれば、外郭剛体部の作動でカフ帯が締め付けられるので、巻き取り機構等が不要で、コンパクトになる。
【００３７】
【発明の実施の形態】
以下、本発明の実施の形態を図面を参照して詳細に説明する。
【００３８】
図１は、第１実施形態の血圧計１Ａの生体挿入用ブロック２の斜視図である。
【００３９】
血圧計１Ａは、生体挿入用ブロック２と血圧計本体３（図７参照）とで構成されている。
【００４０】
上記生体挿入用ブロック２は、図５（ａ）に断面を示すように、被験者（生体）の腕や手首等４が挿入可能な円筒状の剛体で構成されていて、その下部には、引き出し口２ａが形成されている。
【００４１】
上記生体挿入用ブロック２の内面には、カフ帯５が円筒状を維持するように保持されていて、このカフ帯５の両端部５ａ，５ｂは、上記引き出し口２ａから外部の同一方向〔図５（ａ）では右側〕に引き出されている。
【００４２】
上記カフ帯５には圧迫用と計測用の空気袋が収納され、この空気袋は、上記血圧計本体３に内蔵された加圧手段と排気手段とに接続されて、圧縮空気が給排されるようになる。また、上記血圧計本体３には、制御演算回路が内蔵されて、この制御演算回路で加圧手段と排気手段との圧縮空気の給排タイミングを制御するとともに、計測用の空気袋で捉えられた脈波信号を圧力センサで電気信号に変換して、この電気信号を血圧値等に演算処理するようになる。
【００４３】
この演算処理された血圧値等は、表示手段（図１５参照）１５で表示されるとともに、記憶手段で記憶されるようになる。
【００４４】
上記引き出し口２ａから生体挿入用ブロック２の外部に引き出されたカフ帯５の両端部５ａ，５ｂは、自動巻き取り機構６に連結されている。この自動巻き取り機構６は、図２に示したようなモータで巻き取り円筒部７を回転させて、カフ帯５を同時に同一方向に巻き取るものに限られず、例えば、シリンダでカフ帯の両端部を同時に同一方向に引っ張るような機構も含むものである。
【００４５】
第１実施形態の血圧計１Ａであれば、被験者が腕等４を生体挿入用ブロック２内に挿入して、血圧計本体３の電源釦３ｃ（図１１参照）を押すと、先ず自動巻き取り機構６が作動して、カフ帯５の両端部５ａ，５ｂが同時に巻き取られる（シリンダであれば引っ張られる）から、片端部５ａ（若しくは５ｂ）だけを巻き取る場合に比して、カフ帯５の巻き取り時間が短縮できるとともに、巻き取り径（シリンダであればストローク）を減らすことができるので、血圧計１Ａを家庭用としてコンパクトにすることが可能となる。
【００４６】
このように、あらゆる腕等４の太さの被験者に対しても、カフ帯５を適切な強さで、測定部位に自動的に巻き付けることができる。
【００４７】
その後、カフ帯５の空気袋に圧縮空気を給排することにより、上述したような信号処理がなされて、測定された血圧値等が表示されるようになる。
【００４８】
図５（ａ）では、カフ帯５の両端部５ａ，５ｂを同時に同一方向に巻き取る場合を示したが、図５（ｂ）に示すように、カフ帯５の両端部５ａ，５ｂを反対方向〔図５（ｂ）では左側と右側〕に引き出し、両端部５ａ，５ｂをそれぞれ自動巻き取り機構６に連結して、同時に反対方向に巻き取ることもできる。なお、必ずしも同時に巻き取る必要なはく、時差をつけて巻き取ることも可能である。
【００４９】
図２は、第２実施形態の血圧計１Ｂの生体挿入用ブロック２の斜視図である。
【００５０】
上記生体挿入用ブロック２の外部には、上記引き出し開口２ａに対応して、モータで回転される巻き取り円筒部７が設けられ、この巻き取り円筒部７の外面にカフ帯５の両端部５ａ，５ｂが連結されている。
【００５１】
第２実施形態の血圧計１Ｂであれば、巻き取り円筒部７の回転により、カフ帯５の両端部５ａ，５ｂが均等に巻き取られるから、片端部５ａ（若しくは５ｂ）だけを巻き取る場合に比して、カフ帯５の巻き取り時間が半減できるとともに、巻き取り径を半減できるので、血圧計１Ｂを家庭用として、よりコンパクトにすることが可能となる。
【００５２】
図３は、第３実施形態の血圧計１Ｃの生体挿入用ブロック２の斜視図である。
【００５３】
上記生体挿入用ブロック２の内下部には、被験者の腕等４の置き台８が設けられている（図５参照）。
【００５４】
第３実施形態の血圧計１Ｃであれば、置き台８に腕等４を置けば、腕等４をしっかりと固定することができるから、カフ帯５の巻き取り時に被験者の腕等４が引っ張られて、引き出し口２ａに腕等４や袖部分が挟み込まれるおそれが無くなる。この結果、カフ帯５の巻き取りと巻き戻しがスムーズに行えるようになる。
【００５５】
図４は、第４実施形態の血圧計１Ｄの生体挿入用ブロック２の斜視図である。
【００５６】
上記生体挿入用ブロック２の外下部に、図６に詳細に示すように、巻き取り円筒部７の下方に側出する側出部２ｂを設けて、この側出部２ｂに突起状のロック部２ｃを一体形成する。
【００５７】
また、上記巻き取り円筒部７の外面に、巻き取り初期位置と巻き取り上限位置とでロック部２ｃにロックされる被ロック部７ａが一体形成されている。ここで、巻き取り初期位置とは、巻き取り円筒部７が右回転Ｒして、巻き取り円筒部７の被ロック部７ａがロック部２ｃの右面に当て止められてロック（ストップ）されている図６の状態である。さらに、巻き取り上限位置とは、巻き取り円筒部７が左回転Ｌして、巻き取り円筒部７の被ロック部７ａがロック部２ｃの左面に当て止められてロック（ストップ）されている状態である。
【００５８】
第３実施形態の血圧計１Ｄであれば、巻き取り上限位置で被ロック部７ａがロック部２ｃでロックされることにより、上限位置を認識することができるとともに、ロック部２ｃの位置を適当に設定しておけば、カフ帯５が測定可能な周長の最小時で巻き取りを停止して、必要以上に巻き取り続けることを防ぐことができる。
【００５９】
また、巻き取り初期位置で被ロック部７ａがロック部２ｃでロックされることにより、初期位置を認識することができる。また、ロック部２ｃと被ロック部７ａとで機械的に停止させることができるので、位置センサ等を設ける必要がない。
【００６０】
図７は、第５実施形態の血圧計１Ｅの斜視図である。
【００６１】
上記血圧計１Ｅは、血圧計本体３と生体挿入用ブロック２とに分割されて、血圧計本体３に対して、生体挿入用ブロック２が上下回動可能に支持されている（矢印Ｃ参照）。
【００６２】
具体的には、図８を参照すれば、血圧計本体３に側出アーム部３ａを設け、この側出アーム部３ａの血圧計本体３側に固定ヒンジピン９を取付けるとともに、側出アーム部３ａの立ち上がり部３ｂに可動ヒンジピン１０を設ける。この可動ヒンジピン１０は、ねじ部１０ａによって出没操作することが可能になっている。
【００６３】
第５実施形態の血圧計１Ｅであれば、各ヒンジピン９，１０を中心にして、生体挿入用ブロック２を血圧計本体３に対して上下回動させることで、身長の異なる被験者が測定する際や高さの異なる椅子や机で測定する際に、常に安定姿勢で測定することができる。
【００６４】
図８は、第６実施形態の血圧計１Ｆの斜視図である。
【００６５】
上記血圧計１Ｆは、図７の血圧計１Ｅと同様に、血圧計本体３と生体挿入用ブロック２とに分割されて、図８（ｂ）に示すように、血圧計本体３に側出アーム部３ａを設け、この側出アーム部３ａの血圧計本体３側に固定ヒンジピン９を取付けるとともに、側出アーム部３ａの立ち上がり部３ｂに可動ヒンジピン１０を設ける。この可動ヒンジピン１０は、ねじ部１０ａによって出没操作することが可能になっている。
【００６６】
第６実施形態の血圧計１Ｆであれば、第５実施形態の血圧計１Ｅと同様に、各ヒンジピン９，１０で生体挿入用ブロック２を血圧計本体３に対して回動させることで、身長の異なる被験者が測定する際や高さの異なる椅子や机で測定する際に、常に安定姿勢で測定することができる。なお、第６実施形態の血圧計１Ｆは、必ずしも生体挿入用ブロック２を回動させる構成である必要はない。
【００６７】
そして、可動ヒンジピン１０のねじ部１０ａを緩めると、血圧計本体３に対して、生体挿入用ブロック２を取り外すことが可能になっている〔図８（ａ）の状態〕。
【００６８】
したがって、生体挿入用ブロック２を血圧計本体３に対して着脱可能にすることで、腕周長等の異なる被験者が測定する際に、生体挿入用ブロック２を適当なサイズのものに交換することができ、どのような腕周長の被験者であってもカフ幅による判定精度の誤差を抑えることができる。
【００６９】
図９は、第７実施形態の血圧計１Ｇの生体挿入用ブロック２の側面図である。
【００７０】
この血圧計１Ｇには、カフ帯５の巻き取り量から腕周長等を検知する手段１２が設けられている。
【００７１】
具体的には、巻き取り円筒部７のモータのＯＮ−ＯＦＦ時間を計測して、カフ帯５の巻き付け開始から巻き付け完了までの時間を計測することにより、カフ帯５の巻き取り量を検知し、結果として被験者の腕周長等を検知することができる。
【００７２】
第７実施形態の血圧計１Ｇであれば、カフ帯５の巻き取り量から被験者の腕周長等を検知することにより、腕周長等に応じた血圧測定アルゴリズム（テーブル等）により血圧判定することができるので、より高精度な血圧判定を行うことができる。
【００７３】
また、カフ帯５の巻き取り量（被験者の腕周長等）に応じた複数種類の血圧判定ソフトを準備して、腕周長等に応じた血圧判定ソフトを使い分けることにより、より高精度な血圧判定を実現することができる。
【００７４】
図１０は、第８実施形態の血圧計１Ｈの生体挿入用ブロック２の側面図である。
【００７５】
上記生体挿入用ブロック２の引き出し口２ａには、常時は、カフ帯５の上側となる端部５ａの引き出し口２ａの部分を押え付ける緊急解除部材１３が設けられている（二点鎖線ａ参照）。
【００７６】
この緊急解除部材１３は、緊急時には、矢印Ｕのように手操作で上揺動させることができ、これによって、カフ帯５の締め付けが解除可能となる。
【００７７】
第８実施形態の血圧計１Ｈであれば、カフ帯５の巻き取り時に、予期せぬ誤動作が発生したような緊急時に、被験者が緊急解除部材１３を手操作で上揺動させれば、カフ帯５による腕等４の締め付けを直ちに解除できので、安全性が向上するようになる。
【００７８】
図１１は、第９実施形態の血圧計１Ｉの斜視図である。
【００７９】
この血圧計１Ｉは、血圧計１１から表示手段１５〔操作手段（電源釦３ｃ等）も含む〕が分離されて、この表示手段等１５は、電線１６による有線または無線で血圧計本体３と接続されている。
【００８０】
第９実施形態の血圧計１Ｉであれば、左右いずれの腕等４で血圧測定した際にも、表示手段等１５を動かして逆側に配置することができるので、被験者は、表示手段等１５が見やすくなり、操作もしやすくなる。
【００８１】
図１２は、第１０実施形態の血圧計１Ｊの生体挿入用ブロック２の側面図である。
【００８２】
上記カフ帯５に、カフ帯５を緩め方向に引っ張る一対のバネ部材１７が張設されている。
【００８３】
第１０実施形態の血圧計１Ｊであれば、血圧測定終了時のカフ帯５の巻き付け解除の際に、バネ部材１７でカフ帯５が引っ張られて迅速に緩められるようになる。
【００８４】
図９（第７実施形態と兼用）は、第１１実施形態の血圧計１Ｋの生体挿入用ブロック２の側面図である。
【００８５】
この血圧計１Ｋには、カフ帯５が腕等４を締め付ける時の巻き取り円筒部７のモータの電流変化量、またはこの電流変化量とカフ帯の内圧の変化量を検出して、締め付け量を制御する手段１８が設けられている。
【００８６】
具体的には、カフ帯５の巻き付けの際、巻き取り円筒部７のモータの電流を検知することにより、被験者の腕等４に対する適切な巻き付け状態を検知することができる。
【００８７】
すなわち、巻き取り円筒部７のモータは、被験者の腕等４にカフ帯５をぴったりと巻き付けるに従ってモータ電流値が徐々に大きくなり、モータロック状態において、さらに電流値が増大する。このようなモータ電流値の変化を検知することにより、カフ帯５の巻き付け状態を検知し、最適な巻き付けを制御することが可能となる。
【００８８】
第１１実施形態の血圧計１Ｋであれば、被測定者の腕等４にカフ帯５を最適な締め付け量で巻き付けることにより、より高精度かつ信頼性（再現性）の高い血圧測定を行うことができる。
【００８９】
また、モータ電流値と併せて、若干空気を入れたカフ帯５の内圧を検知することにより、被験者の腕等４に対するより適切な巻き付け状態を検知することができる。
【００９０】
図１３は、第１２実施形態の血圧計１Ｌの生体挿入用ブロック２の側面図である。
【００９１】
上記カフ帯５の内面に、例えば円周上３等分位置に距離感知センサ１９が貼付けて設けられている。
【００９２】
第１２実施形態の血圧計１Ｌであれば、距離感知センサ１９でカフ帯５と被験者の腕等４との間の距離を検知して、被測定者の腕等４にカフ帯５を最適な締め付け量で巻き付けることにより、より高精度かつ信頼性（再現性）の高い血圧測定を行うことができる。
【００９３】
図１４は、第１３実施形態の血圧計１Ｍの斜視図である。
【００９４】
土台となる生体置き台２１が設けられ、この置き台２１の上面に、被験者の腕等４を置くための半円状に窪ませた窪み部２１ａが形成されている。
【００９５】
上記カフ帯５の下半分５Ａは、上記窪み部２１ａに沿って固定されるとともに、カフ帯５の上半分５Ｂは、フリーな状態となっていて、この上半部５Ｂの先端には、メカニカルファスナーの雌係止部（雄係止部でも可）２２ａが取付けられ、上記生体置き台２１の側面には、メカニカルファスナーの雄係止部（雌係止部でも可）２２ｂが取付けられている。
【００９６】
ここで、メカニカルファスナーとは、フック状の雄係止部とループ状の雌係止部とが対をなして、両者を強く圧迫すると雄係止部と雌係止部とが相互に外れにくいように係止されるとともに、雄係止部と雌係止部とを手で強く引き剥がすと雄係止部と雌係止部との係止が外れるものをいい、面ファスナーとも呼ばれている。なお、カフ帯５の上半分５Ｂの先端を生体置き台２１に係止する手段としては、メカニカルファスナーに限られるものではなく、要するに着脱可能に係止（結合）できるものであれば良い。
【００９７】
第１３実施形態の血圧計１Ｍであれば、被験者は、置き台２１の上に片方の腕等４を置いて、上半分５Ｂのカフ帯５を他方の手で持って、腕等４に巻き付けながら、雌係止部２２ａを置き台２１の雄係止部２２ｂに係止することで、カフ帯５を腕等にしっかり確実に巻き付けることができる。
【００９８】
図１５は、第１４実施形態の血圧計１Ｎであり、（ａ）は斜視図、（ｂ）は断面図である。
【００９９】
生体挿入用ブロック２が設けられて、この生体挿入用ブロック２の内面下部には凹部２ｄが形成されている。上記カフ帯５は、円筒状に形成されて、生体挿入用ブロック２の内面に保持されている。
【０１００】
上記生体挿入用ブロック２内下部には、カフ帯５の内側に位置して、被験者の腕等４の置き台２３が上下動可能に設けられている。
【０１０１】
第１４実施形態の血圧計１Ｎであれば、生体挿入用ブロック２に保持されたカフ帯５に対して置き台２３が下動することで、この置き台２３でカフ帯５の下部分５ｃが凹部２ｄ内に引っ張り込まれることになり、カフ帯５が腕等４を締め付けるので、巻き取り機構６等が不要で、コンパクトになる。
【０１０２】
図１６は、第１５実施形態の血圧計１Ｏであり、（ａ）は斜視図、（ｂ）は断面図である。
【０１０３】
生体挿入用ブロック２が設けられて、この生体挿入用ブロック２に内面に、拡縮径可能な外郭剛体部２４が設けられ、この外郭剛体部２４の内面に、カフ帯５が保持されている。
【０１０４】
上記外郭剛体部２４は、例えば撮影レンズの絞り機構のように拡縮径作動するように構成されている。
【０１０５】
第１５実施形態の血圧計１Ｏであれば、生体挿入用ブロック２の内面の外郭剛体部２４が縮径することで、カフ帯５が締め付け方向に縮径されることになり、カフ帯５が腕等４を締め付けるので、巻き取り機構６等が不要で、コンパクトになる。
【図面の簡単な説明】
【図１】第１実施形態の生体挿入用ブロックの斜視図である。
【図２】第２実施形態の生体挿入用ブロックの斜視図である。
【図３】第３実施形態の生体挿入用ブロックの斜視図である。
【図４】第４実施形態の生体挿入用ブロックの斜視図である。
【図５】生体挿入用ブロックであり、（ａ）は断面図、（ｂ）はカフ帯の両端部を異なる方向に巻き取る例の断面図である。
【図６】ロック部の側面図である。
【図７】第５実施形態の血圧計であり、（ａ）は斜視図、（ｂ）は側面図である。
【図８】第６実施形態の血圧計であり、（ａ）は斜視図、（ｂ）はヒンジ部の拡大断面図である。
【図９】第７実施形態と第１１実施形態の生体挿入用ブロックの側面図である。
【図１０】第８実施形態の生体挿入用ブロックの側面図である。
【図１１】第９実施形態の血圧計の斜視図である。
【図１２】第１０実施形態の生体挿入用ブロックの側面図である。
【図１３】第１２実施形態の生体挿入用ブロックの側面図である。
【図１４】第１３実施形態の血圧計の斜視図である。
【図１５】第１４実施形態の血圧計であり、（ａ）は斜視図、（ｂ）は生体挿入用ブロックの側面断面図である。
【図１６】第１５実施形態の血圧計であり、（ａ）は斜視図、（ｂ）は生体挿入用ブロックの側面断面図である。
【符号の説明】
１Ａ〜１Ｏ  血圧計
２      生体挿入用ブロック
２ｃ    ロック突起
３      血圧計本体
４      腕等
５      カフ帯
５ａ，５ｂ  両端部
６      自動巻き取り機構
７      巻き取り円筒部
７ａ    被ロック部
８      置き台
９      固定ヒンジピン
１０    可動ヒンジピン
１２    腕周長等の検知手段
１３    緊急解除部材
１５    表示手段
１７    バネ部材
１８    締め付け量制御手段
１９    距離感知手段
２１，２３  置き台
２４    外郭剛体部
【図１】
2004254882.tif 000003
【図２】
2004254882.tif 000004
【図３】
2004254882.tif 000005
【図４】
2004254882.tif 000006
【図５】
2004254882.tif 000007
【図６】
2004254882.tif 000008
【図７】
2004254882.tif 000009
【図８】
2004254882.tif 000010
【図９】
2004254882.tif 000011
【図１０】
2004254882.tif 000012
【図１１】
2004254882.tif 000013
【図１２】
2004254882.tif 000014
【図１３】
2004254882.tif 000015
【図１４】
2004254882.tif 000016
【図１５】
2004254882.tif 000017
【図１６】
2004254882.tif 000018